Podtech/llm-jp-corpus-v4-ja_patent huggingface dataset:
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
放送番組を録画し、再生する録画再生装置であって、
放送番組を記憶部に記録する記録手段と、
前記記憶部に記録された放送番組を自動的に削除する削除手段と、
を有し、
前記削除手段は、前記記憶部の録画容量が所定値より小さくなった場合に、前記記憶部に記録された複数の放送番組から、放送番組の音声信号または視聴率に基づいて、削除の対象となる放送番組を決定する
ことを特徴とする録画再生装置。
【請求項２】
前記削除手段は、音量レベルの最大値、音量レベルの平均値、視聴率の最大値、または、視聴率の平均値が所定の閾値以下の放送番組を削除の対象とする
ことを特徴とする請求項１に記載の録画再生装置。
【請求項３】
前記記録手段は、ユーザが放送番組の視聴を中断した後に、当該放送番組の記録を開始し、
前記削除手段は、前記放送番組の視聴中の所定期間と、前記放送番組を記録している記録期間とのそれぞれの期間における音声信号または視聴率を比較し、削除の対象となる放送番組を決定する
ことを特徴とする請求項１に記載の録画再生装置。
【請求項４】
前記所定期間は、ユーザが前記放送番組の視聴を開始してから当該放送番組の視聴を中断するまでの期間である
ことを特徴とする請求項３に記載の録画再生装置。
【請求項５】
前記所定期間は、ユーザが前記放送番組の視聴を中断した時刻から所定時間前までの期間である
ことを特徴とする請求項３に記載の録画再生装置。
【請求項６】
前記削除手段は、放送番組のジャンルに応じて、前記削除の対象となる放送番組を音声信号に基づいて決定するか、視聴率に基づいて決定するかを選択する
ことを特徴とする請求項１〜５のいずれか１項に記載の録画再生装置。
【請求項７】
放送番組を録画し、再生する録画再生装置の制御方法であって、
放送番組を記憶部に記録する記録ステップと、
前記記憶部に記録された放送番組を自動的に削除する削除ステップと、
を有し、
前記削除ステップでは、前記記憶部の録画容量が所定値より小さくなった場合に、前記記憶部に記録された複数の放送番組から、放送番組の音声信号または視聴率に基づいて、削除の対象となる放送番組が決定される
ことを特徴とする録画再生装置の制御方法。
【請求項８】
前記削除ステップでは、音量レベルの最大値、音量レベルの平均値、視聴率の最大値、または、視聴率の平均値が所定の閾値以下の放送番組が削除の対象とされる
ことを特徴とする請求項７に記載の録画再生装置の制御方法。
【請求項９】
前記記録ステップでは、ユーザが放送番組の視聴を中断した後に、当該放送番組の記録が開始され、
前記削除ステップでは、前記放送番組の視聴中の所定期間と、前記放送番組を記録している記録期間とのそれぞれの期間における音声信号または視聴率が比較され、削除の対象となる放送番組が決定される
ことを特徴とする請求項７に記載の録画再生装置の制御方法。
【請求項１０】
前記所定期間は、ユーザが前記放送番組の視聴を開始してから当該放送番組の視聴を中断するまでの期間である
ことを特徴とする請求項９に記載の録画再生装置の制御方法。
【請求項１１】
前記所定期間は、ユーザが前記放送番組の視聴を中断した時刻から所定時間前までの期間である
ことを特徴とする請求項９に記載の録画再生装置の制御方法。
【請求項１２】
前記削除ステップでは、放送番組のジャンルに応じて、前記削除の対象となる放送番組を音声信号に基づいて決定するか、視聴率に基づいて決定するかが選択される
ことを特徴とする請求項７〜１１のいずれか１項に記載の録画再生装置の制御方法。
【手続補正２】
【補正対象書類名】明細書
【補正対象項目名】００１２
【補正方法】変更
【補正の内容】
【００１２】
上述した課題を解決するために、本発明に係る録画再生装置は、
放送番組を録画し、再生する録画再生装置であって、
放送番組を記憶部に記録する記録手段と、
前記記憶部に記録された放送番組を自動的に削除する削除手段と、
を有し、
前記削除手段は、前記記憶部の録画容量が所定値より小さくなった場合に、前記記憶部に記録された複数の放送番組から、放送番組の音声信号または視聴率に基づいて、削除の対象となる放送番組を決定する
ことを特徴とする。
【手続補正３】
【補正対象書類名】明細書
【補正対象項目名】００１３
【補正方法】変更
【補正の内容】
【００１３】
また、本発明に係る録画再生装置の制御方法は、
放送番組を録画し、再生する録画再生装置の制御方法であって、
放送番組を記憶部に記録する記録ステップと、
前記記憶部に記録された放送番組を自動的に削除する削除ステップと、
を有し、
前記削除ステップでは、前記記憶部の録画容量が所定値より小さくなった場合に、前記記憶部に記録された複数の放送番組から、放送番組の音声信号または視聴率に基づいて、削除の対象となる放送番組が決定される
ことを特徴とする。
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
水晶Ｘ板のエッチング領域に対してレーザーを照射して水晶とは異なる組織構造を有する変質層を形成する工程と、
前記変質層を起点として前記エッチング領域をエッチングする工程と、を有することを特徴とする水晶基板の加工方法。
【請求項２】
水晶のＹ軸方向に沿って前記変質層を形成することを特徴とする請求項１記載の水晶基板の加工方法。
【請求項３】
水晶のＺ軸方向に複数の前記変質層を配列させることを特徴とする請求項１または２記載の水晶基板の加工方法。
【請求項４】
水晶Ｘ板の−Ｘ面側から＋Ｘ方向にエッチングすることを特徴とする請求項１ないし３のいずれか一項に記載の水晶基板の加工方法。
【請求項５】
前記レーザーが、フェムト秒パルスレーザーであることを特徴とする請求項１ないし４のいずれか一項に記載の水晶基板の加工方法。
【請求項６】
前記レーザーの出力を、３００ｎＪ以上５００ｍＪ未満とすることを特徴とする請求項１ないし５のいずれか一項に記載の水晶基板の加工方法。
【請求項７】
エッチング液としてフッ酸を主成分とする溶液を用いることを特徴とする請求項１ないし６のいずれか一項に記載の水晶基板の加工方法。
【請求項８】
第１水晶Ｘ板および第２水晶Ｘ板を、互いのＸ軸を平行にするとともに前記Ｘ軸の正負の方向が互いに逆向きとなるように貼り合わせる工程と、
前記第１水晶Ｘ板および前記第２水晶Ｘ板における各々の−Ｘ面側からレーザーを照射して各エッチング領域に変質層を形成する工程と、
前記変質層を起点としてエッチングすることによって前記各エッチング領域をエッチングする工程と、
前記振動片本体上に電極を形成する工程と、を有することを特徴とする音叉型水晶振動片の製造方法。
【手続補正２】
【補正対象書類名】明細書
【補正対象項目名】０００７
【補正方法】変更
【補正の内容】
【０００７】
本発明の水晶基板の加工方法は、上記課題を解決するために、水晶Ｘ板のエッチング領域に対してレーザーを照射して水晶とは異なる組織構造を有する変質層を形成する工程と、変質層を起点としてエッチング領域をエッチングする工程と、を有する。
【手続補正３】
【補正対象書類名】明細書
【補正対象項目名】０００９
【補正方法】変更
【補正の内容】
【０００９】
また、水晶のＹ軸方向に沿って変質層を形成することが好ましい。
本発明によれば、水晶のＹ軸方向に延びる変質層を形成することにより、Ｚ軸方向に比べてエッチングレートの遅いＹ軸方向のエッチングが可能である。また、変質層以外の領域でＺ軸方向よりも先にＹ軸方向へエッチングされることはほとんどない。
【手続補正４】
【補正対象書類名】明細書
【補正対象項目名】００１０
【補正方法】変更
【補正の内容】
【００１０】
また、水晶のＺ軸方向に複数の変質層を配列させることが好ましい。
本発明によれば、複数の変質層を起点としてＺ軸方向（±Ｚ方向）にエッチングが進行するので、少ないレーザー照射で水晶Ｘ板の広範囲な加工が可能となる。
【手続補正５】
【補正対象書類名】明細書
【補正対象項目名】００１５
【補正方法】変更
【補正の内容】
【００１５】
本発明の音叉型水晶振動片の製造方法は、第１水晶Ｘ板および第２水晶Ｘ板を、互いのＸ軸を平行にするとともにＸ軸の正負の方向が互いに逆向きとなるように貼り合わせる工程と、第１水晶Ｘ板および第２水晶Ｘ板における各々の−Ｘ面側からレーザーを照射して各エッチング領域に変質層を形成する工程と、変質層を起点としてエッチングすることによって各エッチング領域をエッチングする工程と、振動片本体上に電極を形成する工程と、を有する。
【誤訳訂正書】
【提出日】平成24年6月22日(2012.6.22)
【誤訳訂正１】
【訂正対象書類名】特許請求の範囲
【訂正対象項目名】全文
【訂正方法】変更
【訂正の内容】
【特許請求の範囲】
【請求項１】
パターンをパターン形成デバイスから基板に転送する投影システムと、
前記投影システムと前記基板の間の空間を少なくとも部分的に液体で充填する液体供給システムと、
過酸化溶液を前記液体供給システムに供給して、少なくとも前記液体供給システムを洗浄する洗浄剤供給システムと、
を有し、
前記液体供給システムは、
供給源から流入する前記液体の電気抵抗率をモニタして、前記液体に含まれる不純物レベルを検出する抵抗率センサを有する
リソグラフィ投影装置。
【請求項２】
前記液体供給システムは、バクテリアを殺菌するＵＶランプを有する請求項１に記載のリソグラフィ投影装置。
【請求項３】
前記液体供給システムは、前記液体から粒子を除去する粒子フィルタを有する請求項１又は２に記載のリソグラフィ投影装置。
【請求項４】
前記粒子フィルタは、粗大粒子フィルタ及び微粒子フィルタを有する請求項３に記載のリソグラフィ投影装置。
【請求項５】
前記液体供給システムは、前記液体から陰極イオンを除去する陽イオンフィルタを有する請求項１〜４のいずれかに記載のリソグラフィ投影装置。
【請求項６】
前記液体供給システムは、前記液体を脱気する脱気ユニットを有する請求項１〜５のいずれかに記載のリソグラフィ投影装置。
【請求項７】
前記液体供給システムは、前記液体を温度調整する熱交換器をさらに有する請求項１〜６のいずれか記載のリソグラフィ投影装置。
【請求項８】
前記液体供給システムは、液浸ヘッドへの浸液の流量を制御する液体流量コントローラをさらに有する請求項１〜７のいずれかに記載のリソグラフィ投影装置。
【請求項９】
前記液体供給システムは、液浸ヘッドへの浸液の供給を一時的に停止する少なくとも１つの空気圧三方弁を有する請求項１〜８のいずれかに記載のリソグラフィ投影装置。
【請求項１０】
前記液体供給システムは、圧力の脈動を防止するドーム負荷圧力調整器を備えた圧力調整器をさらに有する請求項１〜９のいずれかに記載のリソグラフィ投影装置。
【請求項１１】
微粒子フィルタの下流側の圧力をモニタする圧力センサをさらに有する請求項４記載のリソグラフィ投影装置。
【請求項１２】
液体供給システムから、リソグラフィ投影装置の投影システムと基板との間の空間へ液体を供給するステップと、
抵抗率センサにより供給源から前記液体供給システムに流入する液体の電気抵抗率をモニタして、前記液体に含まれる不純物レベルを検出するステップと、
過酸化溶液を前記液体供給システムに供給して、少なくとも前記液体供給システムを洗浄するステップと、
前記投影システムを用いて、パターンが形成された放射線ビームを前記液体を介して基板に投射するステップと、
を有するデバイス製造方法。
【誤訳訂正２】
【訂正対象書類名】明細書
【訂正対象項目名】００４４
【訂正方法】変更
【訂正の内容】
【００４４】
図６は、本発明による他の液体供給システム２００を略図で示したものである。この液体供給システムは、以下に列挙する構成要素を以下の順序で備えている。
（１）例えば超純水（ＵＰＷ）といった浸液の抽出を可能にし、取り扱うべきＦＷＳを供給し、また、例えば過酸化溶液で洗浄するように洗浄ツールをキャビネットに接続するために使用することができる手動抽出弁２０１。
（２）浸液供給システムに偶発的に発生し得るバクテリアの殺菌を意図した、２５４ｎｍＵＶランプであるＵＶランプ２０２。
（３）粗大粒子（＞１００ｎｍ）による機械コンポーネント、例えば弁の損傷を防止する粗粒子フィルタ２０３。
（４）浸液の供給を停止するために使用される空気圧弁２０４。
（５）供給源から流入する浸液の電気抵抗率をモニタし、不純物のレベルを検出する抵抗率センサ２０５。
（６）浸液供給システムへの水の逆流を防止するための逆止弁２０６。
（７）必要に応じて他のサブ・システムに浸液を供給することができる空気圧抽出弁２０７。
（８）上流側の液体供給システム内および工場内の弁のスイッチングによって生じる圧力の脈動を極めて有効に防止することができるドーム負荷圧力調整器を備えた圧力調整器２０８。
（９）圧力調整器の下流側の圧力をモニタし、圧力調整器の動作を確認する圧力センサ２０９。
（１０）液浸ヘッドＩＨへの浸液の流量を制御する液体流量コントローラ２１０。このコントローラは、例えばフィルタの恒常的な目詰まりによって液体供給システムの流動抵抗が変化するという理由で使用される。このようなコントローラを使用することによって安定した流量が保証される。
（１１）熱を粗調整（温度調整）するために使用される、下流側の浸液の微調整を可能にし、且つ脱気ユニットの最適性能を可能にする熱電熱交換器２１１。
（１２）脱気ユニットの上流側の温度をモニタする温度センサ２１２。
（１３）浸液を脱気するための、膜接触器である脱気ユニット２１３。液浸フード内の気泡の形成を防止するためには総溶解ガス含有量を極めて少なくしなければならない。液浸フード内の気泡はプリント欠陥の原因になり、また迷光が強化される原因になる。
（１４）第２の膜接触器である、第１の接触器の有効性を改善するための脱気ユニット２１４。
（１５）脱気ユニットの下流側の圧力をモニタする圧力センサ２１５。
（１６）浸液から陰極イオン、例えば金属イオンを除去する陽イオンフィルタ２１６。
（１７）液浸フードへの浸液の供給を一時的に停止する空気圧三方弁２１７。この弁はシャット・オフ弁ではなく、浸液の流れを維持する三方弁である。流れていない浸液は急速に劣化し、汚染問題の原因になる。流れる方向が変化した浸液はドレンに導かれる。
（１８）水供給システムの主要部品を備えたキャビネットから液浸フードへ導かれる、浸液の温度安定性を強化するための絶縁ホース２１８。
（１９）最終熱交換器の上流側にあって、熱電熱交換器２１１の制御ループにセットポイントを与える温度センサ２１９。
（２０）浸液の温度を微調整するための非金属熱交換器２２０。浸液のイオン汚染を防止するように非金属が使用されている。
（２１）液浸フードへ供給される浸液の電気抵抗率をモニタする抵抗率センサ２２１。この抵抗率センサを使用して、液体供給システム内の潜在的な汚染源をモニタすることができる。
（２２）浸液供給システム内に残留しているすべての粒子を除去するための微粒子フィルタ２２２。
（２３）最終熱交換器の下流側にあって、液浸フードへの浸液供給の温度をモニタするための温度センサ２２３。
（２４）微粒子フィルタの下流側の圧力をモニタする圧力センサ２２４。この圧力センサ２２４は、フィルタを通る圧力をモニタするように圧力センサ２１５と共に使用され、それによりフィルタの状態をモニタすることを可能にする。
（２５）液浸フードへの浸液の供給を一時的に停止することができる空気圧三方弁２２５。弁は、この場合もシャット・オフ弁ではなく、浸液の流れを維持する三方弁である。浸液は流れていないと急速に劣化し、汚染問題の原因になる。流れる方向が変化した浸液はドレンに導かれる。
（２６）緊急事態の発生時に、液浸フード以外の方向へすべての水の流れを変えるための空気圧三方弁２２６。
（２７）液浸フードの上流側の圧力をモニタし、また圧力の安定性をモニタするように使用することのできる圧力センサ２２７。
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
映像と、該映像の一部の領域を表す部分領域情報とを含む映像コンテンツを再生し、表示部に出力する映像再生装置であって、
表示部に出力する映像の領域を変更する領域変更手段と、
前記領域変更手段を制御する制御手段と、
を備え、
前記制御手段は、再生開始時に全領域の映像を表示部に出力し、所定時間経過後に前記部分領域情報で指定されている領域の映像を表示部に出力するように、前記領域変更手段に指示する
ことを特徴とする映像再生装置。
【請求項２】
前記映像コンテンツは、デジタル放送番組であり、
前記再生開始時は、ユーザーによる前記デジタル放送番組の選局時である
ことを特徴とする請求項１に記載の映像再生装置。
【請求項３】
前記制御手段は、表示部に出力される映像の領域が全領域から前記部分領域情報で指定されている領域へ段階的に変化するように前記領域変更手段に指示する
ことを特徴とする請求項１または２に記載の映像再生装置。
【請求項４】
表示部で表示可能な最大解像度を表す解像度情報を取得する解像度情報取得手段をさらに備え、
前記制御手段は、前記部分領域情報で指定されている領域が複数存在する場合に、前記解像度情報に基づいて複数の領域から一つを選択し、当該領域の映像を表示部に出力するように、前記領域変更手段に指示する
ことを特徴とする請求項１から３のいずれか１項に記載の映像再生装置。
【請求項５】
前記制御手段は、
再生する映像コンテンツが過去に再生されたことがあるか否かを判断し、
再生する映像コンテンツが過去に再生されたことがあると判断された場合には、全領域の映像の出力を省略し、前記部分領域情報で指定されている領域の映像を出力するように前記領域変更手段に指示する
ことを特徴とする請求項１から４のいずれか１項に記載の映像再生装置。
【請求項６】
少なくとも、絵、文字、または、記号のいずれかを描画する描画手段をさらに備え、
前記制御手段は、再生開始時に前記部分領域情報で指定されている領域を表す画像を描画するように、前記描画手段に指示する
ことを特徴とする請求項１から５のいずれか１項に記載の映像再生装置。
【請求項７】
前記制御手段は、所定時間経過後、前記描画された画像を消去するように前記描画手段に指示する
ことを特徴とする請求項６に記載の映像再生装置。
【請求項８】
前記描画手段は、前記部分領域情報で指定されている領域の周囲を囲う枠を描画する
ことを特徴とする請求項６または７に記載の映像再生装置。
【請求項９】
前記制御手段は、前記部分領域情報で指定されている領域が複数存在する場合に、領域ごとに異なる色の画像を描画するように前記描画手段に指示する
ことを特徴とする請求項６から８のいずれか１項に記載の映像再生装置。
【請求項１０】
映像と、該映像の一部の領域を表す部分領域情報とを含む映像コンテンツを再生するステップと、
再生開始時に全領域の映像を表示部に出力し、所定時間経過後に前記部分領域情報で指定されている領域の映像を表示部に出力するステップと、
を含むことを特徴とする映像再生装置の制御方法。
【手続補正２】
【補正対象書類名】明細書
【補正対象項目名】０００７
【補正方法】変更
【補正の内容】
【０００７】
本発明の映像再生装置は、
映像と、該映像の一部の領域を表す部分領域情報とを含む映像コンテンツを再生し、表示部に出力する映像再生装置であって、
表示部に出力する映像の領域を変更する領域変更手段と、
前記領域変更手段を制御する制御手段と、
を備え、
前記制御手段は、再生開始時に全領域の映像を表示部に出力し、所定時間経過後に前記部分領域情報で指定されている領域の映像を表示部に出力するように、前記領域変更手段に指示する
ことを特徴とする。
【手続補正３】
【補正対象書類名】明細書
【補正対象項目名】０００８
【補正方法】変更
【補正の内容】
【０００８】
本発明の映像再生装置の制御方法は、
映像と、該映像の一部の領域を表す部分領域情報とを含む映像コンテンツを再生するステップと、
再生開始時に全領域の映像を表示部に出力し、所定時間経過後に前記部分領域情報で指定されている領域の映像を表示部に出力するステップと、
を含むことを特徴とする。
【手続補正４】
【補正対象書類名】明細書
【補正対象項目名】００３９
【補正方法】変更
【補正の内容】
【００３９】
図７は実施例２に係る映像再生装置の構成の一例を示すブロック図である。図７に示すように、本実施例に係る映像再生装置は、アンテナ７０１、情報取得部７０２、信号分離部７０３、映像再生部７０４、メタデータ処理部７０５、領域変更部７０６、制御部７０７、タイマ７０８を有する。これらの機能は実施例１と同様である。図７の例では、映像再生装置は、さらに、描画部７０９、合成部７１０、解像度情報取得部７１１、記憶部７１２を有する。そして、本実施例に係る映像再生装置は、表示可能な最大解像度が１０８０ｉである外部表示部７１３に接続されている。外部表示部７１３は、実施例１の表示部１０７と同様のため説明は省略する。
【手続補正５】
【補正対象書類名】明細書
【補正対象項目名】００４８
【補正方法】変更
【補正の内容】
【００４８】
ステップＳ８０６では、制御部７０７が、再生する映像コンテンツの番組情報と、記憶部７１２に記憶される番組情報とを比較し、再生する映像コンテンツが過去に再生されたことがあるか否かを判断する。具体的には、再生する映像コンテンツと過去に再生された映像コンテンツの番組名および番組に関する説明を比較することにより、再生する映像コンテンツが過去に再生されたことがあるか否かを判断する。再生する映像コンテンツが過去に再生されたことがあると判断された場合には（ステップＳ８０６：ＹＥＳ）、ステップＳ８１０へ進む。再生する映像コンテンツが過去に再生されたことがないと判断された場合、即ち、再生する映像コンテンツが初めて再生する映像コンテンツである場合には（ステップＳ８０６：ＮＯ）、ステップＳ８０７へ進む。
【手続補正書】
【提出日】平成24年2月9日(2012.2.9)
【手続補正１】
【補正対象書類名】明細書
【補正対象項目名】０００６
【補正方法】変更
【補正の内容】
【０００６】
上記課題を解決するために、請求項１に記載の発明は、複数種の動作モードを有する電子機器において、矩形形状の表示部と、この表示部の一辺に、この一辺に沿うように前記表示部の外側に並べて配置され、各々が前記複数種の動作モードの何れかを指定する複数のキーと、前記複数のキーの何れかが操作されたことを検出する操作検出手段と、この操作検出手段によって前記複数のキーの何れかが操作されたことを検出すると、このキーに割り当てられた動作モードにおける複数の設定項目を、当該キーの位置に沿って並べて表示するよう前記表示部を制御する表示制御手段と、この表示制御手段によって表示された複数の設定項目のうち、何れかが指定されたか否かを判断する判断手段と、この判断手段によって指定されたと判断された設定内容を制御する制御手段と、を備えたことを特徴とする。
【手続補正２】
【補正対象書類名】特許請求の範囲
【補正対象項目名】請求項１
【補正方法】変更
【補正の内容】
【請求項１】
複数種の動作モードを有する電子機器において、
矩形形状の表示部と、
この表示部の一辺に、この一辺に沿うように前記表示部の外側に並べて配置され、各々が前記複数種の動作モードの何れかを指定する複数のキーと、
前記複数のキーの何れかが操作されたことを検出する操作検出手段と、
この操作検出手段によって前記複数のキーの何れかが操作されたことを検出すると、このキーに割り当てられた動作モードにおける複数の設定項目を、当該キーの位置に沿って並べて表示するよう前記表示部を制御する表示制御手段と、
この表示制御手段によって表示された複数の設定項目のうち、何れかが指定されたか否かを判断する判断手段と、
この判断手段によって指定されたと判断された設定内容を制御する制御手段と、
を備えたことを特徴とする電子機器。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
互いに表裏関係にある第１面および第２面と、前記第１面および前記第２面を連結する側面と、を備えた振動腕と、
前記振動腕の前記第１面に設けられた下部電極と、
前記下部電極を覆って設けられた圧電膜と、
前記圧電膜を覆って設けられた上部電極と、を含み、
前記圧電膜および前記上部電極の少なくとも一方は、前記第１面および前記側面に連続して設けられていることを特徴とする振動片。
【請求項２】
請求項１に記載の振動片において、
前記圧電膜および前記上部電極の少なくとも一方は、前記振動腕を囲んで設けられていることを特徴とする振動片。
【請求項３】
請求項１または2に記載の振動片において、
前記圧電膜と前記上部電極の間に絶縁膜を含むことを特徴とする振動片。
【請求項４】
請求項１乃至３のいずれか一項に記載の振動片において、
前記振動腕は、３以上の奇数本を備え、
各前記振動腕が厚み方向に振動し、かつ隣り合う前記振動腕が互いに反対方向に振動することを特徴とする振動片。
【請求項５】
請求項１乃至４のいずれか一項に記載の振動片と、前記振動片を収納する収容器を有し、
前記振動片が前記収容器内に気密に収容されていることを特徴とする振動子。
【請求項６】
外形をエッチングして、互いに表裏関係にある第１面および第２面と前記第１面および前記第２面を連結する側面とを備えた振動腕を形成する外形エッチング工程と、
前記振動腕の前記第１面に下部電極を形成する下部電極形成工程と、
前記下部電極を覆う圧電膜を形成する圧電膜形成工程と、
前記圧電膜を覆う上部電極を形成する上部電極形成工程と、を含み、
前記圧電膜および前記上部電極の少なくとも一方は、前記第１面および前記側面に連続して設けられていることを特徴とする振動片の製造方法。
【請求項７】
請求項６に記載の振動片の製造方法であって、
前記圧電膜形成工程において、
前記圧電膜は、前記振動腕を囲んで形成されることを特徴とする振動片の製造方法。
【請求項８】
請求項６または7に記載の振動片の製造方法であって、
前記上部電極形成工程において、
前記上部電極は、前記振動腕を囲んで形成されることを特徴とする振動片の製造方法。
【請求項９】
請求項６乃至８のいずれか一項に記載の振動片の製造方法において、
前記圧電膜と前記上部電極の間に、絶縁膜を形成する絶縁膜形成工程を含むことを特徴とする振動片の製造方法。
【手続補正２】
【補正対象書類名】明細書
【補正対象項目名】０００６
【補正方法】変更
【補正の内容】
【０００６】
［適用例１］本適用例にかかる振動片は、３以上の奇数本の振動腕を有し、各前記振動腕が厚み方向に振動し、かつ隣り合う前記振動腕が互いに反対方向に振動する振動片であって、前記振動腕の厚みを規定する対向する面の一方の面に設けられた下部電極と、前記下部電極を覆って形成された圧電膜と、前記圧電膜を覆って形成された上部電極と、を有することを特徴とする。また、他の態様では、互いに表裏関係にある第１面および第２面と、前記第１面および前記第２面を連結する側面と、を備えた振動腕と、前記振動腕の前記第１面に設けられた下部電極と、前記下部電極を覆って設けられた圧電膜と、前記圧電膜を覆って設けられた上部電極と、を含み、前記圧電膜および前記上部電極の少なくとも一方は、前記第１面および前記側面に連続して設けられていることを特徴とする。
【手続補正３】
【補正対象書類名】明細書
【補正対象項目名】００１０
【補正方法】変更
【補正の内容】
【００１０】
［適用例３］上記適用例にかかる振動片において、前記圧電膜および前記上部電極の少なくとも一方は、前記振動腕を囲んで設けられていることが望ましい。
【手続補正４】
【補正対象書類名】明細書
【補正対象項目名】００１８
【補正方法】変更
【補正の内容】
【００１８】
［適用例７］本適用例にかかる振動片の製造方法は、３以上の奇数本の振動腕を有し、各前記振動腕が厚み方向に振動し、かつ隣り合う前記振動腕が互いに反対方向に振動する振動片の製造方法であって、振動片の外形をエッチングして形成する外形エッチング工程と、前記振動腕の厚みを規定する対向する面の一方の面に下部電極を形成する下部電極形成工程と、前記下部電極を覆う圧電膜を形成する圧電膜形成工程と、前記圧電膜を覆う上部電極を形成する上部電極形成工程と、を有することを特徴とする。また、他の態様では、  外形をエッチングして、互いに表裏関係にある第１面および第２面と前記第１面および前記第２面を連結する側面とを備えた振動腕を形成する外形エッチング工程と、前記振動腕の前記第１面に下部電極を形成する下部電極形成工程と、前記下部電極を覆う圧電膜を形成する圧電膜形成工程と、前記圧電膜を覆う上部電極を形成する上部電極形成工程と、を含み、前記圧電膜および前記上部電極の少なくとも一方は、前記第１面および前記側面に連続して設けられていることを特徴とする。
【手続補正５】
【補正対象書類名】明細書
【補正対象項目名】００２４
【補正方法】変更
【補正の内容】
【００２４】
［適用例１０］上記適用例にかかる振動片の製造方法は、前記圧電膜形成工程において、前記圧電膜は、前記振動腕を囲んで形成されることが望ましい。
【手続補正６】
【補正対象書類名】明細書
【補正対象項目名】００２６
【補正方法】変更
【補正の内容】
【００２６】
［適用例１１］上記適用例にかかる振動片の製造方法は、前記上部電極形成工程において、前記上部電極は、前記振動腕を囲んで形成されることが望ましい。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
基部と、
前記基部から延出し、且つ、互いに表裏関係にある第１面および第２面と、前記第１面および前記第２面を連結する側面と、を備えた振動腕と、
前記振動腕の前記第１面に設けられた下部電極と、
前記下部電極の上方に形成された上部電極と、
前記下部電極および前記上部電極の間に設けられた圧電膜と、
前記下部電極に接続される第１配線と、
前記上部電極に接続される第２配線と、を含み、
前記第１配線および前記第２配線の少なくとも一方は、前記側面を経て前記第２面に引き出されていることを特徴とする振動片。
【請求項２】
請求項１に記載の振動片において、
前記基部には、前記配線に接続されるマウント電極が設けられていることを特徴とする振動片。
【請求項３】
請求項２に記載の振動片において、
前記基部は前記振動腕よりも厚く、且つ、前記振動腕と前記基部とが連結される部分が前記振動腕から前記基部に向かって連続して厚みが厚くなっていることを特徴とする振動片。
【請求項４】
請求項１乃至３のいずれか一項に記載の振動片において、
前記振動腕は、３以上の奇数本を備え、
厚み方向に振動し、かつ隣り合う前記振動腕が互いに反対方向に振動することを特徴とする振動片。
【請求項５】
請求項１乃至４のいずれか一項に記載の振動片と、前記振動片を収納する収容器と、を
有し、前記振動片が前記収容器内に気密に収容されていることを特徴とする振動子。
【手続補正２】
【補正対象書類名】明細書
【補正対象項目名】０００６
【補正方法】変更
【補正の内容】
【０００６】
［適用例１］本適用例にかかる振動片は、３以上の奇数本の振動腕と、前記振動腕が連結される基部と、を備え、前記振動腕が厚み方向に振動し、かつ隣り合う前記振動腕が互いに反対方向に振動する振動片であって、前記振動腕の厚み方向に対向する第１面と第２面のうちの前記第１面に設けられた下部電極と、前記下部電極の上方に形成された圧電膜と、前記下部電極および前記圧電膜の上方に形成された上部電極と、前記下部電極および前記上部電極に接続される配線と、を有し、前記上部電極に接続される配線が前記振動腕を囲むように、前記振動腕の側面を経て前記振動腕の前記第２面に引き出されていることを特徴とする。また、他の態様として、基部と、前記基部から延出し、且つ、互いに表裏関係にある第１面および第２面と、前記第１面および前記第２面を連結する側面と、を備えた振動腕と、前記振動腕の前記第１面に設けられた下部電極と、前記下部電極の上方に形成された上部電極と、前記下部電極および前記上部電極の間に設けられた圧電膜と、前記下部電極に接続される第１配線と、前記上部電極に接続される第２配線と、を含み、  前記第１配線および前記第２配線の少なくとも一方は、前記側面を経て前記第２面に引き出されていることを特徴とする。
【手続補正３】
【補正対象書類名】明細書
【補正対象項目名】０００８
【補正方法】変更
【補正の内容】
【０００８】
［適用例２］上記適用例にかかる振動片において、前記基部には、前記配線に接続されるマウント電極が設けられていることが望ましい。
【手続補正４】
【補正対象書類名】明細書
【補正対象項目名】００１０
【補正方法】変更
【補正の内容】
【００１０】
［適用例３］上記適用例にかかる振動片において、前記基部は前記振動腕よりも厚く、且つ、前記振動腕と前記基部とが連結される前記基部の一部が前記振動腕から前記基部に向かって連続して厚みが厚くなっていることが望ましい。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
互いに表裏関係にある第１面および第２面と、前記第１面および前記第２面を連結する側面と、を備えた振動腕と、
前記振動腕の前記第１面および前記側面に連続して設けられた下部電極と、
前記振動腕の前記下部電極の上に設けられた上部電極と、
前記下部電極および前記上部電極の間に設けられた圧電膜と、を備えたことを特徴とする振動片。
【請求項２】
請求項１に記載の振動片において、
前記下部電極は、前記振動腕を囲んで設けられていることを特徴とする振動片。
【請求項３】
請求項２に記載の振動片において、
前記圧電膜は、前記振動腕の前記第１面および前記側面に連続して設けられていることを特徴とする振動片。
【請求項４】
請求項２に記載の振動片において、
前記圧電膜は、前記振動腕を囲んで設けられていることを特徴とする振動片。
【請求項５】
請求項１乃至４のいずれか一項に記載の振動片において、
前記圧電膜と前記上部電極の間に絶縁膜を含むことを特徴とする振動片。
【請求項６】
請求項１乃至５のいずれか一項に記載の振動片において、
前記振動腕は、３以上の奇数本を備え、
各前記振動腕が厚み方向に振動し、かつ隣り合う前記振動腕が互いに反対方向に振動することを特徴とする振動片。
【請求項７】
請求項１乃至６のいずれか一項に記載の振動片と、前記振動片を収納する収容器を有し、
前記振動片が前記収容器内に気密に収容されていることを特徴とする振動子。
【請求項８】
外形をエッチングして、互いに表裏関係にある第１面および第２面と前記第１面および前記第２面を連結する側面とを備えた振動腕を形成する外形エッチング工程と、
前記振動腕において前記振動腕の前記第１面から前記側面に連続して下部電極を形成する下部電極形成工程と、
前記振動腕の前記第１面の前記下部電極の上に圧電膜を形成する圧電膜形成工程と、
前記圧電膜の上に上部電極を形成する上部電極形成工程と、を含むことを特徴とする振動片の製造方法。
【請求項９】
請求項８に記載の振動片の製造方法であって、
前記下部電極形成工程において、
前記下部電極は、前記振動腕を囲んで形成されることを特徴とする振動片の製造方法。
【請求項１０】
請求項９に記載の振動片の製造方法であって、
前記圧電膜形成工程において、
前記圧電膜は、前記振動腕を囲んで形成されることを特徴とする振動片の製造方法。
【請求項１１】
請求項８乃至１０のいずれか一項に記載の振動片の製造方法において、
前記圧電膜と前記上部電極の間に絶縁膜を形成する絶縁膜形成工程を含むことを特徴とする振動片の製造方法。
【手続補正２】
【補正対象書類名】明細書
【補正対象項目名】０００６
【補正方法】変更
【補正の内容】
【０００６】
［適用例１］本適用例にかかる振動片は、３以上の奇数本の振動腕を有し、各前記振動腕が厚み方向に振動し、かつ隣り合う前記振動腕が互いに反対方向に振動する振動片であって、前記振動腕において前記振動腕の厚みを規定する対向する面の一方の面から少なくとも両側の側面にまで連続して設けられた下部電極と、前記振動腕の前記一方の面において前記下部電極の上に形成された圧電膜と、前記圧電膜の上に形成された上部電極と、を有することを特徴とする。また、他の態様では、互いに表裏関係にある第１面および第２面と、前記第１面および前記第２面を連結する側面と、を備えた振動腕と、前記振動腕の前記第１面および前記側面に連続して設けられた下部電極と、前記振動腕の前記下部電極の上に設けられた上部電極と、前記下部電極および前記上部電極の間に設けられた圧電膜と、を備えたことを特徴とする。
【手続補正３】
【補正対象書類名】明細書
【補正対象項目名】０００８
【補正方法】変更
【補正の内容】
【０００８】
［適用例２］上記適用例にかかる振動片において、前記下部電極は、前記振動腕を囲んで設けられていることが望ましい。
【手続補正４】
【補正対象書類名】明細書
【補正対象項目名】００１０
【補正方法】変更
【補正の内容】
【００１０】
［適用例３］上記適用例にかかる振動片において、前記圧電膜は、前記振動腕の前記第１面および前記側面に連続して設けられていることが望ましい。
【手続補正５】
【補正対象書類名】明細書
【補正対象項目名】００１８
【補正方法】変更
【補正の内容】
【００１８】
［適用例７］本適用例にかかる振動片の製造方法は、３以上の奇数本の振動腕を有し、各前記振動腕が厚み方向に振動し、かつ隣り合う前記振動腕が互いに反対方向に振動する振動片の製造方法であって、振動片の外形をエッチングして形成する外形エッチング工程と、前記振動腕において前記振動腕の厚みを規定する対向する面の一方の面から少なくとも両側の側面にまで連続して下部電極を形成する下部電極形成工程と、前記振動腕の前記一方の面において前記下部電極の上に圧電膜を形成する圧電膜形成工程と、前記圧電膜の上に上部電極を形成する上部電極形成工程と、を有することを特徴とする。また、他の態様では、外形をエッチングして、互いに表裏関係にある第１面および第２面と前記第１面および前記第２面を連結する側面とを備えた振動腕を形成する外形エッチング工程と、前記振動腕において前記振動腕の前記第１面から前記側面に連続して下部電極を形成する下部電極形成工程と、前記振動腕の前記第１面の前記下部電極の上に圧電膜を形成する圧電膜形成工程と、前記圧電膜の上に上部電極を形成する上部電極形成工程と、を含むことを特徴とする。
【手続補正６】
【補正対象書類名】明細書
【補正対象項目名】００２０
【補正方法】変更
【補正の内容】
【００２０】
［適用例８］上記適用例にかかる振動片の製造方法は、前記下部電極形成工程において、前記下部電極は、前記振動腕を囲んで形成されることが望ましい。
【手続補正７】
【補正対象書類名】明細書
【補正対象項目名】００２２
【補正方法】変更
【補正の内容】
【００２２】
［適用例９］上記適用例にかかる振動片の製造方法は、前記圧電膜形成工程において、
前記圧電膜は、前記振動腕を囲んで形成されることが望ましい。
【手続補正書】
【提出日】平成24年2月10日(2012.2.10)
【手続補正１】
【補正対象書類名】明細書
【補正対象項目名】発明の名称
【補正方法】変更
【補正の内容】
【発明の名称】表示制御装置、その制御方法、プログラムおよび記憶媒体
【手続補正２】
【補正対象書類名】明細書
【補正対象項目名】０００１
【補正方法】変更
【補正の内容】
【０００１】
本発明は、画像を再生表示する表示制御装置、その制御方法、プログラムおよび記憶媒体に関する。
【手続補正３】
【補正対象書類名】明細書
【補正対象項目名】０００６
【補正方法】変更
【補正の内容】
【０００６】
そこで、本発明は、上記課題の認識を基礎としてなされたものであり、ユーザの状況と意図に沿ったガイド表示を行うことができる表示制御装置、その制御方法、プログラムおよび記憶媒体を提供することを目的とする。
【手続補正４】
【補正対象書類名】明細書
【補正対象項目名】０００７
【補正方法】変更
【補正の内容】
【０００７】
上記目的を達成するために、本発明の表示制御装置は、操作部材と、前記操作部材への接触を検知する検知手段と、前記検知手段により前記操作部材への接触が検知され、当該接触を検知した時の動作状態が画像を再生して表示手段に表示している再生状態ではない場合、前記接触を検知したことに応じて、前記操作部材に対する、前記接触とは異なる操作方法に割り当てられた機能のガイド情報を前記表示手段に表示するように制御し、前記検知手段により前記操作部材への接触が検知され、当該接触を検知した時の動作状態が前記再生状態である場合には、前記接触を検知したことに応じた前記ガイド情報の表示をしないように制御する表示制御手段とを備えたことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１２
【補正方法】変更
【補正の内容】
【００１２】
本発明の表示制御装置、その制御方法、プログラムおよび記憶媒体の実施の形態について図面を参照しながら説明する。本実施形態の画像再生装置は撮像装置であるデジタルカメラに適用される。
【手続補正８】
【補正対象書類名】特許請求の範囲
【補正対象項目名】全文
【補正方法】変更
【補正の内容】
【特許請求の範囲】
【請求項１】
操作部材と、
前記操作部材への接触を検知する検知手段と、
前記検知手段により前記操作部材への接触が検知され、当該接触を検知した時の動作状態が画像を再生して表示手段に表示している再生状態ではない場合、前記接触を検知したことに応じて、前記操作部材に対する、前記接触とは異なる操作方法に割り当てられた機能のガイド情報を前記表示手段に表示するように制御し、
前記検知手段により前記操作部材への接触が検知され、当該接触を検知した時の動作状態が前記再生状態である場合には、前記接触を検知したことに応じた前記ガイド情報の表示をしないように制御する表示制御手段と
を備えたことを特徴とする表示制御装置。
【請求項２】
前記再生状態の際に前記操作部材に対する第１の操作方法での操作に応じて、前記表示手段に表示している画像を第１の画像から第２の画像に切り替える切り替え手段を更に有し、
前記表示制御手段は、前記表示手段に表示されている画像が前記第１の画像から前記第２の画像に切り替えられた際に、前記第１の画像と第２の画像の種別が異なる場合には、前記ガイド情報を前記表示手段に表示しするように制御し、前記第１の画像と第２の画像の種別が同じである場合には、該切り替えに応じた前記ガイド情報の表示は行わないことを特徴とする請求項１に記載の表示制御装置。
【請求項３】
前記第１の画像が静止画と動画のうちの一方で、前記第２の画像が静止画と動画のうち他方である場合に、前記種別が異なる場合となることを特徴とする請求項２に記載の表示制御装置。
【請求項４】
前記再生状態で前記表示手段に表示している画像が動画である場合に、前記操作部材に対する第２の操作方法での操作に応じて、表示している動画に対して、動画再生開始を指示するための操作アイコン、動画コマ送りを指示するための操作アイコン、動画頭だしを指示するための操作アイコン、動画スロー再生を指示するための操作アイコンのうち少なくとも１つを前記表示手段に表示するように制御することを特徴とする請求項１乃至３のいずれか１項に記載の表示制御装置。
【請求項５】
前記表示制御手段は、最初に前記再生状態となるように当該表示制御装置を起動させた場合、一定時間、前記ガイド情報を前記表示手段に表示するように制御ことを特徴とする請求項１乃至４のいずれか１項に記載の表示制御装置。
【請求項６】
前記表示制御手段は、当該表示制御装置を起動させた後最初に前記再生状態となった場合に、一定時間、前記ガイド情報を前記表示手段に表示するように制御ことを特徴とする請求項１乃至５のいずれか１項に記載の表示制御装置。
【請求項７】
前記再生状態としての前記画像の再生を行う再生モードで動作可能であるとともに、撮影モードでも動作可能な撮像装置であることを特徴とする請求項１乃至６のいずれか１項に記載の表示制御装置。
【請求項８】
前記操作部材に対する操作に応じて、セルフタイマー設定、ストロボ設定、マクロ設定の少なくとも１つが行えることを特徴とする請求項７に記載の表示制御装置。
【請求項９】
前記操作部材は、複数の操作方法での操作が可能であり、前記ガイド情報は、前記複数の操作方法と、該複数の操作方法に割り当てられたそれぞれの機能とを示す情報であることを特徴とする請求項１乃至８のいずれか１項に記載の表示制御装置。
【請求項１０】
操作部材を有する表示制御装置の制御方法であって、
前記操作部材への接触を検知する検知ステップと、
前記検知ステップで前記操作部材への接触が検知され、当該接触を検知した時の動作状態が画像を再生して表示手段に表示している再生状態ではない場合、前記接触を検知したことに応じて、前記操作部材に対する、前記接触とは異なる操作方法に割り当てられた機能のガイド情報を前記表示手段に表示するように制御し、前記検知ステップにより前記操作部材への接触が検知され、当該接触を検知した時の動作状態が前記再生状態である場合には、前記接触を検知したことに応じた前記ガイド情報の表示をしないように制御する表示制御ステップと
を有することを特徴とする表示制御装置の制御方法。
【請求項１１】
コンピュータを、請求項１乃至１０のいずれか１項に記載された表示制御装置の各手段として機能させるプログラム。
【請求項１２】
コンピュータを、請求項１乃至１０のいずれか１項に記載された表示制御装置の各手段として機能させるプログラムを格納したコンピュータが読み取り可能な記憶媒体。
【手続補正書】
【提出日】平成24年3月15日(2012.3.15)
【手続補正１】
【補正対象書類名】特許請求の範囲
【補正対象項目名】請求項４
【補正方法】変更
【補正の内容】
【請求項４】
請求項１ないし請求項３のうち、いずれか１項に記載の表示装置であって、
前記表示映像処理回路は、内部に第５の補正パラメータに基づき前記第１の長距離伝送線上で減衰した周波数利得特性を補正する、表示映像処理回路用周波数応答補正器を含む、表示装置。
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
複数のＬＥＤ素子を含む可視光源からの可視光を被検眼に照射する照明手段と、
前記複数のＬＥＤ素子の一部からの発光光量を選択的に変更する変更手段と、
を有することを特徴とする眼科装置。
【請求項２】
前記変更手段が、前記被検眼を照明する光を強く発するために、前記複数のＬＥＤ素子の一部からの発光光量を選択的に変更することを特徴とする請求項１に記載の眼科装置。
【請求項３】
前記変更手段は、前記複数のＬＥＤ素子の一部を強く発光して前記被検眼の眼底を光軸外から照明し、該眼底の凹凸に対応した陰影部を該眼底に形成することを特徴とする請求項１あるいは２に記載の眼科装置。
【請求項４】
前記変更手段は、前記被検眼の左右眼に応じて強く発光するＬＥＤ素子を変更することを特徴とする請求項１乃至３のいずれか１項に記載の眼科装置。
【請求項５】
前記被検眼の左右眼の切換えを検知する左右眼検知手段を有し、
該左右眼検知手段の出力に基づいて前記変更手段を駆動することを特徴とする請求項１乃至４のいずれか１項に記載の眼科装置。
【請求項６】
カラー撮影モードの場合、前記複数のＬＥＤ素子が発光する光量が略均一になるように、前記変更手段が前記複数のＬＥＤ素子の一部からの発光光量を選択的に変更し、
立体撮影モードの場合、前記被検眼を照明する光を強く発するために、前記複数のＬＥＤ素子の一部からの発光光量を選択的に変更することを特徴とする請求項１乃至５のいずれか１項に記載の眼科装置。
【請求項７】
前記複数のＬＥＤ素子それぞれが、白色ＬＥＤ素子であることを特徴とする請求項１乃至６のいずれか１項に記載の眼科装置。
【請求項８】
前記複数のＬＥＤ素子が、リング状に配置されていることを特徴とする請求項１乃至７のいずれか１項に記載の眼科装置。
【請求項９】
前記被検眼からの反射光を受光し、該被検眼を撮像するために可視波長領域に感度を持つ撮像手段を有することを特徴とする請求項１乃至８のいずれか１項に記載の眼科装置。
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
遊技領域に設けられる始動口と、
前記始動口への遊技球の入球に基づいて、大当たりについての当落にかかる判定処理を行う大当たり判定手段と、
前記大当たり判定手段による判定処理にて前記大当たりが当選されたことに基づいて、遊技者に特典が付与される特別遊技を行う特別遊技実行手段と、
前方から視認可能な表示面を有する演出表示手段と、
前記大当たり判定手段による判定処理の結果に応じて、前記表示面にて複数の画像図柄及びそれら画像図柄に対しての背景画像についての演出表示にかかる制御を行う演出制御手段と、を備え、
前記演出制御手段による演出表示にて前記複数の画像図柄がそれぞれ停止表示されたときの前記表示画面において特別な図柄組み合わせが現れたときには前記判定処理にて大当たりが当選されたことが遊技者に示唆される遊技機であって、
前記演出制御手段は、
前記背景画像として、互いに画像内容の異なる前背景及び後背景を前記表示面にてそれぞれ表示可能であるとともに、前記前背景については前記後背景よりも前記表示面にて優先表示されるように前記演出表示にかかる制御を行う二背景表示制御手段、及び
前記二背景表示制御手段により前記複数の画像図柄に対して前記前背景が背景画像として演出表示されているとき、前記複数の画像図柄が演出表示される図柄表示領域よりも、前記前背景が演出表示される前背景表示領域のほうが小さくなるようにそれら表示領域の間での大きさ比率を変化させることによって、前記前背景の背景画像としての機能を喪失させる背景機能喪失手段、及び
前記前背景縮小表示手段により前記背景画像としての機能が喪失された前記前背景が前記表示面にて表示されているもとで、前記後背景を、前記複数の画像図柄に対しての背景画像として演出表示させる後背景表示制御手段、及び
前記後背景表示制御手段により前記後背景が前記背景画像として演出表示されているとき、前記前背景が演出表示される前背景表示領域を前記図柄表示領域よりも大きくなるようにそれら表示領域の間での大きさ比率を変化させることによって前記前背景を前記複数の画像図柄に対しての背景画像として再び機能させるにあたり、当該前背景の画像内容を別の画像内容に変更する前背景変更制御手段
を備えることを特徴とする遊技機。
【請求項２】
前記大当たりについての当落にかかる判定処理は、前記始動口への遊技球の入球があったときに取得される乱数に基づいて行われる
請求項１に記載の遊技機。
【請求項３】
前記表示面は、液晶画面として設けられてなる
請求項１または２に記載の遊技機。
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技球が流下する遊技盤と、
前記遊技球が受け入れられる始動口と、
前記始動口への遊技球の入球に基づいて、大当たりについての判定処理を行う大当たり判定手段と、
前記大当たり判定手段による判定処理の結果が大当たりであることに基づいて、遊技者に特典が付与される特別遊技を行う特別遊技実行手段と、
前方から視認可能な表示領域を有する演出表示手段と、
前記表示領域にて複数の画像図柄を変動表示するとともに、それら複数の画像図柄がそれぞれ停止表示されたときの前記表示領域にて特別な図柄組み合わせが現れたときには前記判定処理にて大当たりが当選されたことを遊技者に示唆する画像制御手段と、
前記演出表示手段を前方から見たときの前記表示領域に対して重なるようにその外側から移動可能な可動体を用いた演出にかかる制御を行う可動体演出制御手段と、
を備え、
前記遊技盤は、
透過性をもった板状部を有し、該板状部を沿うように前記遊技領域に打ち込まれた遊技球を流下させるものであり、
前記可動体演出制御手段は、
前記複数の画像図柄が前記表示領域にて変動表示されるとき、それら画像図柄の全てが停止表示されるのに先立って、前記表示領域に対して重なるようにその外側から前記可動体を移動させるとともに該表示領域と重なる位置にて前記可動体による所定の移動時演出を行うことによって、前記表示領域にて特別な図柄組み合わせが現れる期待度の高さを予告表示し得る移動時演出制御手段、及び
前記表出演出制御手段により前記表示領域と重なる位置にて所定の移動時演出を行った前記可動体を、前記遊技盤の裏側スペースに収容するように移動させる可動体収容手段、及び
前記複数の画像図柄が前記表示領域にて変動表示されるとき、それら画像図柄の全てが停止表示されるのに先立って、前記遊技盤の裏側スペースにて収容されている前記可動体による所定の収容時演出を、前記遊技球の流下経路となる前記透過性をもった板状部を通して遊技者に視認可能とされるように行うことによって、前記表示領域にて特別な図柄組み合わせが現れる期待度の高さを予告表示し得る収容時演出制御手段
を有することを特徴とする遊技機。
【請求項２】
前記大当たりについての判定処理は、前記始動口への遊技球の入球があったときに取得される乱数に基づいて行われる
請求項１に記載の遊技機。
【請求項３】
前記表示領域は、液晶画面として設けられてなる
請求項１または２に記載の遊技機。